(57)【特許請求の範囲】
【請求項１】
にぎり寿司の寿司ネタ用の食材を複数の寿司ネタに切り分ける食材切断装置であって、
前記食材が載置された載置面に沿って前記食材を動かす食材移動手段と、
前記載置面上にそれぞれ垂直に設けられ、前記載置面に沿って所定の間隔をおいて配列され、それぞれ一方の側に凸に湾曲した複数の切断刃とを有し、
前記食材移動手段により動かされる前記食材を前記複数の切断刃により切断し、前記食材を湾曲した前記複数の寿司ネタに切り分ける
ことを特徴とする食材切断装置。
【請求項２】
請求項１記載の食材切断装置において、
前記載置面を内部に有し、前記食材を収容する収容枠を更に有し、
前記複数の切断刃は、前記収容枠の第１の開口部に設けられ、
前記食材移動手段は、前記収容枠の前記第１の開口部の反対側の第２の開口部から前記収容枠内の前記食材を押し動かす
ことを特徴とする食材切断装置。
【請求項３】
請求項１又は２記載の食材切断装置において、
前記食材は、扁平な直方体状に焼き上げられた玉子焼きであり、
前記玉子焼きを、幅方向に湾曲した短冊状の形状を有する玉子焼き片からなる前記複数の寿司ネタに切り分ける
ことを特徴とする食材切断装置。
【発明の詳細な説明】
【技術分野】
【０００１】
本発明は、食材切断装置に係り、特に、にぎり寿司の寿司ネタ用の食材を複数の寿司ネタに切り分ける食材切断装置に関する。
【背景技術】
【０００２】
にぎり寿司は、御飯に酢を合わせて作られるシャリを適量握ってシャリ玉をつくり、シャリ玉の上に寿司ネタを載せ、シャリ玉とその上の載せた寿司ネタを握って整形したものである。今日では、寿司職人の手により握られて供されるものだけでなく、回転寿司やパック売り等のにぎり寿司には、シャリ玉製造機により自動的に成形されたシャリ玉の上に寿司ネタを載せて供されているものもある。
【０００３】
にぎり寿司の寿司ネタ用の食材としては、魚介類が用いられるほか、厚焼き玉子や出汁巻き玉子といった玉子焼きが用いられている。玉子焼きを握る場合には、通常、扁平な略直方体状に焼き上げられた玉子焼きを包丁により短冊状に切り分け、この短冊状の玉子焼き片を寿司ネタとしてシャリ玉の上に載せている。
【０００４】
図８（ａ）は包丁により玉子焼きから切り分けられた従来の玉子焼き片を握ったにぎり寿司を示す斜視図であり、図８（ｂ）はその横断面図である。図示するように、シャリ玉１００の上に、包丁により玉子焼きから切り分けられた短冊状の玉子焼き片１０２が載せられて握られている。短冊状の玉子焼き片１０２の両面は、包丁による切断面１０２ａ、１０２ｂになっている。シャリ玉に１００には、玉子焼き片１０２の一方の切断面１０２ｂが接触することになる。
【発明の開示】
【発明が解決しようとする課題】
【０００５】
上述のように、シャリ玉の上に載せられる玉子焼き片は、従来、包丁によって玉子焼きから切り分けられている。このため、図８に示すように、玉子焼き片１０２は平板状であり、その切断面１０２ａ、１０２ｂは平坦になっている。シャリ玉１００の上に載せられた玉子焼き片１０２の周縁部では、シャリ玉１０２に接触する切断面１０２ｂが平坦であるため、図８（ｂ）に示すようにシャリ玉１００との間に間隙が生じている。玉子焼き片１０２は、シャリ玉１００と密着することができないため、シャリ玉１００上での安定性に欠けるものとなっていた。
【０００６】
このように、包丁により切り分けられた従来の玉子焼き片は、シャリ玉に接触する切断面が平坦になっているため、シャリ玉との密着性が悪く安定性に欠けていた。このため、シャリ玉の上に玉子焼き片を載せて握っただけでは、シャリ玉の上での位置がずれたり、シャリ玉の上から落下したりすることがあった。
【０００７】
そこで、従来の玉子焼き片を握ったにぎり寿司では、その長手方向の中央部に帯状の海苔を巻き付け、玉子焼き片がシャリ玉から分離するのを防止することが行われている。にぎり寿司が出前される場合や、回転寿司やパック売りで供される場合等のように、食されるまでの間に搬送等によりにぎり寿司が大きく動かされる場合には、玉子焼き片がシャリ玉から分離しないよう対策を講じておく必要性が特に高い。しかしながら、海苔の巻き付けによる分離防止は手間であり、多数のにぎり寿司をつくる場合には大きな労力となっていた。
【０００８】
本発明の目的は、玉子焼き等のにぎり寿司の寿司ネタ用の食材を、シャリ玉との密着性及びシャリ玉の上での安定性に優れた寿司ネタに簡便に効率よく切り分けることができる食材切断装置を提供することにある。
【課題を解決するための手段】
【０００９】
本発明の一観点によれば、にぎり寿司の寿司ネタ用の食材を複数の寿司ネタに切り分ける食材切断装置であって、前記食材が載置された載置面に沿って前記食材を動かす食材移動手段と、前記載置面上にそれぞれ垂直に設けられ、前記載置面に沿って所定の間隔をおいて配列され、それぞれ一方の側に凸に湾曲した複数の切断刃とを有し、前記食材移動手段により動かされる前記食材を前記複数の切断刃により切断し、前記食材を湾曲した前記複数の寿司ネタに切り分ける食材切断装置が提供される。
【発明の効果】
【００１０】
本発明によれば、にぎり寿司の寿司ネタ用の食材を複数の寿司ネタに切り分ける食材切断装置において、食材が載置された載置面に沿って食材を動かす食材移動手段と、載置面上にそれぞれ垂直に設けられ、載置面に沿って所定の間隔をおいて配列され、それぞれ一方の側に凸に湾曲した複数の切断刃とを設け、食材移動手段により動かされる食材を複数の切断刃により切断し、食材を湾曲した複数の寿司ネタに切り分けるので、シャリ玉との密着性及びシャリ玉の上での安定性に優れた寿司ネタに簡便に効率よく切り分けることができる。
【発明を実施するための最良の形態】
【００１１】
［一実施形態］
本発明の一実施形態による食材切断装置について図１乃至図７を用いて説明する。図１は本実施形態による食材切断装置の構造を示す斜視図、図２乃至図５は本実施形態による食材切断装置を用いた玉子焼きの切断方法を説明する斜視図、図６は本実施形態による食材切断装置を用いて切り分けた玉子焼き片を示す斜視図、図７は本実施形態による食材切断装置を用いて切り分けた玉子焼き片を握ったにぎり寿司を示す概略図である。
【００１２】
本実施形態による食材切断装置は、厚焼き玉子や出汁巻き玉子等の玉子焼きを、にぎり寿司の寿司ネタとして用いられる複数の玉子焼き片に切り分けるものである。
【００１３】
まず、本実施形態による食材切断装置の構造について図１を用いて説明する。
【００１４】
図示するように、本実施形態による食材切断装置は、扁平な略直方体状に焼き上げられた玉子焼き１０を切り分けるための切断部１４と、切断部１４において玉子焼き１０を切り分ける際に玉子焼き１０を押し動かすための押し出し部材１６とから構成されている。
【００１５】
切断部１４は、対向する一対の側壁１８と、一対の側壁１８の間に設けられた下板２０及び上板２２と、玉子焼き１０を切り分けるための複数の切断刃２４とにより構成されている。
【００１６】
対向する一対の側壁１８の間には、下板２０と上板２２とが所定の間隔を空けて平行に設けられている。こうして切断部１４において、一対の側壁１８、下板２０及び上板２２により、切り分けるべき玉子焼き１０が内部に収容される玉子焼き収容枠２６が構成されている。
【００１７】
玉子焼き収容枠２６内に収容される扁平な略直方体状の玉子焼き１０は、厚さＴが例えば３０ｍｍ程度、幅Ｗが例えば８０ｍｍ程度、長さＬが例えば１９０ｍｍ程度のものである。玉子焼き１０は、後述するように、その幅方向に沿った複数の玉子焼き片に切り分けられる。
【００１８】
これに対して、下板２０内面と上板２２内面との間隔は、玉子焼き１０の厚さＴとほぼ同程度又は厚さＴよりも大きくなっており、例えば４０ｍｍとなっている。また、一対の側壁１８の内面間の間隔は、玉子焼き１０の長さＬとほぼ同程度又は長さＬよりも大きくなっており、例えば２００ｍｍとなっている。また、下板２０及び上板２２の切断部１４の前後方向に沿った長さは、玉子焼き１０の幅Ｗと同程度又は幅Ｗよりも大きくなっている。これら玉子焼き収容枠２６のサイズは、玉子焼き１０のサイズに応じて適宜設定することができる。
【００１９】
切断部１４背面側の下板２０と上板２２との間は、玉子焼き収容枠２６内に玉子焼き１０を収容するために開放されている。扁平な略直方体状の玉子焼き１０は、切断部１４の背面側の下板２０と上板２２との間から玉子焼き収容枠２６内に収容され、玉子焼き収容枠２６内の下板２０の上面に載置される。玉子焼き１０は、その幅方向を切断部１４の前後方向に向け、その長さ方向を切断部１４の横方向に向けて玉子焼き収容枠２６内に収容される。
【００２０】
切断部１４正面側の下板２０の端部と上板２２の端部との間には、複数の切断刃２４が、下板２０及び上板２２に沿って横方向に所定の間隔をおいて配列して設けられている。
【００２１】
各切断刃２４は、切断部１４背面側に刃先を向け、下板２０及び上板２２に略垂直な方向に沿って設けられている。また、各切断刃２４は、対向する側壁１８の一方の側、すなわち複数の切断刃２４の配列方向の一方の側に凸に湾曲した形状を有している。各切断刃２４の下端部及び上端部は、それぞれ下板２０の端部及び上板２２の端部に固定されている。例えば、切断刃２４の下端部及び上端部は、下板２０の端部及び上板２２の端部にそれぞれ設けられた溝にそれぞれ挿嵌されて固定されている。
【００２２】
湾曲した各切断刃２４の中央部は、玉子焼き収容枠２６内に収容される玉子焼き１０の厚さ方向のほぼ中間に位置するように、下板２０と上板２２との間の中間又は中間よりも下に位置している。
【００２３】
また、隣接する切断刃２４の間隔は、玉子焼き１０から切り分けられる玉子焼き片の厚さを決定するものであり、玉子焼き片が所望の厚さに切り分けられるように適宜設定することができる。例えば、隣接する切断刃２４の間隔は、１０〜１２ｍｍ程度に設定されている。
【００２４】
なお、図１では１５枚の切断刃２４が設けられている場合を示しているが、切断刃２４の枚数は玉子焼き１０の長さＬに応じて適宜設定することができる。
【００２５】
こうして複数の切断刃２４が設けられた切断部１４正面側の下板２０及び上板２２の間からは、後述するように、複数の切断刃２４により切り分けられながら玉子焼き収容枠２６内の玉子焼き１０が押し出されるようになっている。
【００２６】
押し出し部材１６は、切断部１４の玉子焼き収容枠２６内に収容された玉子焼き１０を切断部１４の背面側から正面側に向かって押し動かし、複数の切断刃２４が設けられた切断部１４正面の下板２０と上板２２との間から玉子焼き１０を押し出すためのものである。
【００２７】
押し出し部材１６は、玉子焼き１０の切断部１４背面側の側面に接触して玉子焼き１０を押し動かすための押し出し部２８と、押し出し部１４の中央部に設けられた把持部３０とを有している。
【００２８】
玉子焼き１０を切り分ける際には、把持部３０を作業者が把持して、切断部１４背面側の下板２０と上板２２との間から、押し出し部２８を玉子焼き収容枠２６内で切断部１４の背面側から正面側に動かす。これにより、玉子焼き収容枠２６内の玉子焼き１０は、下板２０の上面に沿って切断部１４の背面側から正面側に押し動かされる。玉子焼き収容枠２６内で玉子焼き１０を押し動かす押し出し部１６の動きは、一対の側壁１８、下板２０及び上板２２によってガイドされる。押し出し部材１６により玉子焼き１０が押し動かされる方向は、複数の切断刃２４の配列方向と略直交する。
【００２９】
こうして押し出し部材１６により押し動かされた玉子焼き１０は、その押し動かされる方向に沿って複数の切断刃２４のそれぞれにより切断部１４正面側の側面から切断され、切断部１４正面側の下板２０と上板２２との間から複数の玉子焼き片に切り分けられながら押し出される。
【００３０】
本実施形態による食材切断装置は、所定の間隔をおいて切断部１４の横方向に配列して設けられ、それぞれ配列方向の一方の側に凸に湾曲した複数の切断刃２４を備え、このような複数の切断刃２４により玉子焼き１０を複数の玉子焼き片に切り分けることに主たる特徴がある。
【００３１】
以下、本実施形態による食材切断装置を用いた玉子焼きの切断方法について図２乃至図５を用いて説明する。
【００３２】
まず、図２に示すように、扁平な略直方体状の玉子焼き１０を、切断部１４背面側の下板２０と上板２２との間から玉子焼き収容枠２６内に収容し、玉子焼き収容枠２６内の下板２０の上面に載置する。玉子焼き１０は、その幅方向を切断部１４の前後方向に向け、その長さ方向を切断部１４の横方向に向けて玉子焼き収容枠２６内に収容する。
【００３３】
次いで、図３に示すように、押し出し部材１６の押し出し部２８を、玉子焼き収容枠２６内に収容された玉子焼き１０の切断部１４背面側の側面に接触させ、玉子焼き収容枠２６内で切断部１４の背面側から正面側に動かしていく。これにより、切断部１４の背面側から正面側に向かって複数の切断刃２４の配列方向に直交する方向に、玉子焼き収容枠２６内の玉子焼き１０を押し動かしていく。
【００３４】
押し出し部２８により玉子焼き１０を押し動かしていくと、玉子焼き１０の切断部１４正面側の側面が複数の切断刃２４の刃先に押し当てられる。この状態で、玉子焼き１０を更に押し動かしていくと、図４に示すように、玉子焼き１０は、その押し動かされる方向、すなわちその幅方向に沿って複数の切断刃２４のそれぞれにより切断部１４正面側から切断されていく。
【００３５】
ここで、各切断刃２４は、複数の切断刃２４の配列方向の一方の側に凸に湾曲した形状を有している。このため、各切断刃２４により切断された玉子焼き１０の一方の切断面は、凹状湾曲面となり、他方の切断面は凸状湾曲面となる。
【００３６】
こうして、図５に示すように、切断部１４正面側の下板２０及び上板２２との間から玉子焼き１０が押し出されるまで、押し出し部２８を玉子焼き収容枠２６内で動かして玉子焼き１０を押し動かす。これにより、玉子焼き１０は、切断部１４正面側の側面から背面側の側面まで、押し動かされる方向に沿って複数の切断刃２４のそれぞれにより切断される。切断部１４正面側から押し出された玉子焼き１０は、複数の切断刃２４により複数の玉子焼き片１２に切り分けられている。
【００３７】
このように、本実施形態による食材切断装置によれば、玉子焼き１０を一度に複数の玉子焼き片１２に簡便に効率よく切り分けることができる。さらに、切り分けられた玉子焼き片１２は、以下に述べるように、その形状によりシャリ玉との密着性及びシャリ玉の上での安定性に優れたものとなっている。
【００３８】
図６は、上述のようにして本実施形態による食材切断装置により玉子焼き１０から切り分けられた玉子焼き片１２を示す斜視図である。図６（ａ）は切り分けた直後の玉子焼き１０における玉子焼き片１２を示し、図６（ｂ）は切断刃２４による切断面１２ａ、１２ｂを上下方向に向けた玉子焼き片１２を示している。
【００３９】
図示するように、玉子焼き片１２は、隣接する２つの切断刃２４の一方による凸状の切断面１２ａと他方による凹状の切断面１２ｂとを有し、幅方向に湾曲した短冊状の形状を有している。
【００４０】
本実施形態による食材切断装置により切り分けられた玉子焼き片１２は、幅方向に湾曲した短冊状の形状を有しているため、シャリ玉の上面を覆うようにシャリ玉の上に載せることができる。したがって、玉子焼き片１２は、シャリ玉との密着性及びシャリ玉の上での安定性に優れたものとなっている。
【００４１】
図７（ａ）は、玉子焼き片１２を握ったにぎり寿司を示す斜視図、図７（ｂ）はその横断面図である。図示するように、幅方向に湾曲した短冊状の玉子焼き片１２は、その凸状の切断面１２ａを上に向け、凹状の切断面１２ｂがシャリ玉３２に接触するようにシャリ玉３２の上に載せられて握られている。
【００４２】
このように、本実施形態による食材切断装置により切り分けられた玉子焼き片１２は、シャリ玉３２の上面を覆うようにシャリ玉３２の上に載せて握ることができるため、シャリ玉３２との密着性及びシャリ玉３２の上での安定性に優れている。したがって、玉子焼き片１２を握ったにぎり寿司では、シャリ玉３２と玉子焼き片１２との分離を防止するために帯状の海苔を巻き付ける等の手間をかける必要がない。
【００４３】
このように、本実施形態によれば、所定の間隔をおいて切断部１４の横方向に配列して設けられ、それぞれ配列方向の一方の側に凸に湾曲した複数の切断刃２４により玉子焼き１０を切断し、玉子焼き１０を複数の玉子焼き片１２に切り分けるので、幅方向に湾曲した短冊状の形状を有し、シャリ玉３２と密着性及びシャリ玉３２の上での安定性に優れた複数の玉子焼き片１２に玉子焼き１０を簡便に効率よく切り分けることができる。
【００４４】
［変形実施形態］
本発明は上記実施形態に限らず種々の変形が可能である。
【００４５】
例えば、上記実施形態では、にぎり寿司の寿司ネタ用の食材として厚焼き玉子や出汁巻き玉子等の玉子焼き１０を複数の玉子焼き片１２に切り分ける場合について説明したが、本発明は、玉子焼きを切り分ける場合のみならず、種々のにぎり寿司の寿司ネタ用の食材を切り分ける場合に適用することができる。例えば、マグロ等の刺身の切り身やその冷凍物、或いは蒲鉾等の練り物を寿司ネタに切り分ける場合に本発明を適用することにより、シャリ玉と密着性及びシャリ玉の上での安定性に優れた複数の寿司ネタに簡便に効率よく切り分けることができる。本発明を適用して切り分ける食材は、略直方体状の形状に切断加工又は成形されているものであることが望ましい。なお、略直方体状の形状には、略立方体状の形状が含まれるものとする。
【００４６】
また、上記実施形態では、切断部１４の玉子焼き収容枠２６内の玉子焼き１０を押し出し部材１６により直接押し動かして切り分ける場合について説明したが、次に切り分けるべき玉子焼きを介して押し出し部材１６により玉子焼き収容枠２６内の玉子焼き１０を押し動かすように構成してもよい。この場合、玉子焼きが切り分けられると同時に次に切り分けるべき玉子焼きが押し出し部材１６に押し動かされて玉子焼き収容枠２６内に収容される。このように玉子焼きの切り分けと次に切り分けるべき玉子焼きの玉子焼き収容枠への収容とを同時に行うことにより、複数の玉子焼きを順次連続的に切り分けることができ、玉子焼きを切り分ける効率を向上することができる。
【００４７】
また、上記実施形態では、押し出し部材３０の把持部３０を作業者が把持して、押し出し部２８を動かす場合について説明したが、押し出し部２８は機械的に動かすようにしてもよい。
【００４８】
また、上記実施形態では、固定された複数の切断刃２４に対して玉子焼き１０を押し動かすことにより玉子焼き１０を切り分ける場合について説明したが、固定された玉子焼き１０に対して複数の切断刃２４を動かすことにより玉子焼き１０を切り分けるように構成してもよい。
【図面の簡単な説明】
【００４９】
【図１】本発明の一実施形態による食材切断装置の構造を示す斜視図である。
【図２】本発明の一実施形態による食材切断装置を用いた玉子焼きの切断方法を説明する斜視図（その１）である。
【図３】本発明の一実施形態による食材切断装置を用いた玉子焼きの切断方法を説明する斜視図（その２）である。
【図４】本発明の一実施形態による食材切断装置を用いた玉子焼きの切断方法を説明する斜視図（その３）である。
【図５】本発明の一実施形態による食材切断装置を用いた玉子焼きの切断方法を説明する斜視図（その４）である。
【図６】本発明の一実施形態による食材切断装置を用いて切り分けた玉子焼き片を示す斜視図である。
【図７】本発明の一実施形態による食材切断装置を用いて切り分けた玉子焼き片を握ったにぎり寿司を示す概略図である。
【図８】包丁により玉子焼きから切り分けられた従来の玉子焼き片を握ったにぎり寿司を示す概略図である。
【符号の説明】
【００５０】
１０…玉子焼き
１２…玉子焼き片
１２ａ、１２ｂ…切断面
１４…切断部
１６…押し出し部材
１８…側壁
２０…下板
２２…上板
２４…切断刃
２６…玉子焼き収容枠
２８…押し出し部
３０…把持部
３２…シャリ玉
１００…シャリ玉
１０２…玉子焼き片
１０２ａ、１０２ｂ…切断面
【図１】
0005046870.tif 000002
【図２】
0005046870.tif 000003
【図３】
0005046870.tif 000004
【図４】
0005046870.tif 000005
【図５】
0005046870.tif 000006
【図６】
0005046870.tif 000007
【図７】
0005046870.tif 000008
【図８】
0005046870.tif 000009